【事件の表示】
　特許第２６８２２４２号「ラジアル走査式超音波検査装置」の特許に対する特許異議の申立てについて、次のとおり決定する。
【結論】
　訂正を認める。
　特許第２６８２２４２号の特許を維持する。
【理由】
１．手続きの経緯
　特許第２６８２２４２号の請求項１に係る発明の手続きの経緯は、以下のとおりである。
　出願　　　　　　　　平成３年１月３０日
　設定登録　　　　　　平成９年８月８日
　特許異議の申立て　　平成１０年４月１日
　　（オリンパス光学工業株式会社）
　取消理由通知　　　　平成１０年８月１８日
　意見書、訂正請求　　平成１０年１０月３０日
　２．訂正の適否についての判断
　２−１．訂正の内容
　訂正明細書における訂正の内容は以下の▲１▼〜▲５▼のとおりである。
▲１▼願書に添付した明細書において、特許請求の範囲の請求項１に係る記載
　「【請求項１】内視鏡の監視下で超音波振動子を観察対象部内に導いて、それを回転させることにより走査させるようにしたものにおいて、前記超音波振動子の走査ラインをマーキングするために、走査ラインまたはその近傍に向けてマーキング光を出射させるマーキング光出射部と、このマーキング光出射部から出射されるマーキング光を略円環状にする光円環化部とを有するマーキング投光部を備えたことを特徴とするラジアル走査式超音波検査装置。」を
「【請求項１】内視鏡の監視下で超音波振動子を観察対象部内に導いて、それを回転させることにより走査させるようにしたものにおいて、前記超音波振動子の走査ラインをマーキングするために、この超音波振動子を装着した振動子取付部の基端部壁面に設けられ、走査ラインまたはその近傍に向けてマーキング光を出射する反射用鏡面からなるマーキング光出射部と、前記振動子取付部より基端側に設けられ、前記マーキング光出射部から出射されるマーキング光を略円環状にする光円環化部とを有するマーキング投光部を備えたことを特徴とするラジアル走査式超音波検査装置。」と訂正する。
▲２▼同明細書において、発明の詳細な説明、特許公報第３欄第４０〜４６行の
「【課題を解決するための手段】前述した目的を達成するために、本発明は、超音波振動子の走査ラインをマーキングするために、走査ラインまたはその近傍に向けてマーキング光を出射させるマーキング光出射部と、このマーキング光出射部から出射されるマーキング光を略円環状にする光円環化部とを有するマーキング投光部を備えたことをその特徴とするものである。」を
「【課題を解決するための手段】前述した目的を達成するために、本発明は、超音波振動子の走査ラインをマーキングするために、この超音波振動子を装着した振動子取付部の基端部壁面に設けられ、走査ラインまたはその近傍に向けてマーキング光を出射する反射用鏡面からなるマーキング光出射部と、前記振動子取付部より基端側に設けられ、前記マーキング光出射部から出射されるマーキング光を略円環状にする光円環化部とを有するマーキング投光部を備えたことをその特徴とするものである。」と訂正する。
▲３▼同明細書において、発明の詳細な説明、特許公報第４欄第１５〜１９行の
「ライトガイドの先端部を曲げるようにすることも可能であるが、先端部に反射用の鏡面を形成し、この反射用鏡面にマーキング光を反射させるようにすると、体腔内に挿入される部材の細径化が図られる。」を
「このため、超音波プローブの先端部分の基端部壁面に反射用の鏡面を形成し、この反射用鏡面にマーキング光を反射させることにより、体腔内に挿入される部材の細径化が図られる。」と訂正する。
▲４▼同明細書において、発明の詳細な説明、特許公報第６欄第３８〜４１行の
「そして、この光ファイババンドルの先端部分をほぼ直角に曲げることにより、超音波を照射する位置を正確にマーキングすることができる。」を削除する。
▲５▼同明細書において、発明の詳細な説明、特許公報第７欄第５〜１３行の
「【発明の効果】以上説明したように、本発明は、ラジアル走査を行う超音波振動子の走査ラインをマーキングするために、マーキング光を所定の位置に照射するようになし、このマーキング光は光出射部により走査ライン乃至その近傍に向けて照射するようになし、かつ光円環化部によりマーキング光を略円環状となるようにしているから、内視鏡によっては観察が困難な超音波振動子によるラジアル走査ラインの全体を容易かつ正確に検出することができるようになる。」を
「【発明の効果】以上説明したように、本発明は、ラジアル走査を行う超音波振動子の走査ラインをマーキングするために、マーキング光を所定の位置に照射するようになし、このマーキング光は光出射部に反射させることにより走査ライン乃至その近傍に向けて照射するようになし、かつ光円環化部によりマーキング光を略円環状となるようにしているから、体腔内に挿入される挿入部を太径化することなく、内視鏡によっては観察が困難な超音波振動子によるラジアル走査ラインの全体を容易かつ正確に検出することができるようになる。」と訂正する。
２−２．訂正の目的の適否、新規事項の有無及び拡張・変更の存否
　訂正の内容▲１▼について
　これは、願書に添付した明細書において、発明の詳細な説明の記載を根拠にした特許請求の範囲の減縮に該当する。
　訂正の内容▲２▼，▲３▼，▲４▼，▲５▼について
　これらは、上記▲１▼の訂正に伴う発明の詳細な説明の訂正であり、明瞭でない記載の釈明に該当する。
　そして、これらの訂正の内容は、願書に添付した明細書又は図面に記載した事項の範囲内であり、実質的に特許請求の範囲を拡張又は変更するものではない。
２−３．独立特許要件
　（訂正明細書に記載の発明）
　訂正明細書において、請求項１に係る発明（以下「本件発明」という）は、前記２−１．訂正の内容▲１▼に記載したとおりである。
　（引用刊行物）
　当審が通知した特許法第２９条第１項第３号又は第２９条第２項についての取消理由において、引用された刊行物１には、次の発明が記載されている。
　刊行物１（特開昭６３−３０２８３５号公報）…「先端部７には、観察光学系と、超音波探触子８及びレーザダイオード９を内蔵する回転部１０とを有し、内臓壁４８にレーザ光の輝線を照射し、観察光学系により超音波探触子８が走査する部分を予め確認するようにした超音波内視鏡。」
　（対比・判断）
　本件発明と刊行物１に記載された発明とを対比すると、本件発明における「超音波振動子を装着した振動子取付部の基端部壁面に設けられ、走査ラインまたはその近傍に向けてマーキング光を出射する反射用鏡面からなるマーキング光出射部と、前記振動子取付部より基端側に設けられ、前記マーキング光出射部から出射されるマーキング光を略円環状にする光円環化部とを有するマーキング投光部を備えた」という構成は、刊行物１のいずれにも記載されていないし、示唆されてもいない。
　すなわち、刊行物１のものでは、マーキング投光部は、振動子取付部に設けられ、マーキング光は、内臓壁に直接照射されるのに対し、本件発明では、マーキング投光部は、振動子取付部より基端側の位置に設けられ、マーキング光は、振動子取付部の基端部壁面を鏡面として反射される。
　そして、本件発明は、刊行物１に記載の発明から予測できない明細書記載の効果を奏するものと認める。
　してみると、本件発明は、刊行物１に記載された発明ではなく、また、その発明から当業者が容易に発明をすることができたものではないので、特許出願の際独立して特許を受けることができないものとはいえない。
２−４．むすび
　したがって、上記訂正請求は、特許法等の一部を改正する法律（平成６年法律第１１６号）附則第６条第１項の規定によりなお従前の例によるとされる、第１２０条の４第２項、及び同条第３項で準用する第１２６条第２〜４項の規定に適合するので、当該訂正を認める。
３．特許異議の申立てについて
　特許異議申立人は、明細書の特許請求の範囲の請求項１に係る発明は甲第１号証（前記刊行物１と同じ）に記載された発明であるから、特許法第２９条第１項第３号に該当し特許を受けることができないか、又は同号証に記載された発明に基づいて当業者が容易に発明をすることができたものであるから、特許法第２９条第２項の規定により特許を受けることができないものであり、前記発明に係る特許は取り消されるべき旨主張している。
　ところが、訂正後の請求項１に係る発明については、前記２−３．で述べたとおり、刊行物１に記載された発明ではなく、また、その発明に基づき当業者が容易に発明をすることができたものでもない。
　したがって、特許異議申立ての理由及び証拠によっては、本件発明の特許を取り消すことができない。
　そして、他に本件発明の特許を取り消すべき理由を発見しない。
　よって、結論のとおり決定する。
【異議決定日】
平成１１年８月２７日（１９９９．８．２７）
【訂正の要旨】
　特許第２６８２２４２号発明の明細書を、本件訂正請求書に添付され訂正明細書のとおりに、すなわち特許請求の範囲の減縮を目的として下記▲１▼のとおり、及び明瞭でない記載の釈明を目的として下記▲２▼，▲３▼，▲４▼，▲５▼のとおりに訂正する。
▲１▼願書に添付した明細書において、特許請求の範囲の請求項１に係る記載
「【請求項１】内視鏡の監視下で超音波振動子を観察対象部内に導いて、それを回転させることにより走査させるようにしたものにおいて、前記超音波振動子の走査ラインをマーキングするために、走査ラインまたはその近傍に向けてマーキング光を出射させるマーキング光出射部と、このマーキング光出射部から出射されるマーキング光を略円環状にする光円環化部とを有するマーキング投光部を備えたことを特徴とするラジアル走査式超音波検査装置。」を
「【請求項１】内視鏡の監視下で超音波振動子を観察対象部内に導いて、それを回転させることにより走査させるようにしたものにおいて、前記超音波振動子の走査ラインをマーキングするために、この超音波振動子を装着した振動子取付部の基端部壁面に設けられ、走査ラインまたはその近傍に向けてマーキング光を出射する反射用鏡面からなるマーキング光出射部と、前記振動子取付部より基端側に設けられ、前記マーキング光出射部から出射されるマーキング光を略円環状にする光円環化部とを有するマーキング投光部を備えたことを特徴とするラジアル走査式超音波検査装置。」と訂正する。
▲２▼同明細書において、発明の詳細な説明、特許公報第３欄第４０〜４６行の
「【課題を解決するための手段】前述した目的を達成するために、本発明は、超音波振動子の走査ラインをマーキングするために、走査ラインまたはその近傍に向けてマーキング光を出射させるマーキング光出射部と、このマーキング光出射部から出射されるマーキング光を略円環状にする光円環化部とを有するマーキング投光部を備えたことをその特徴とするものである。」を
「【課題を解決するための手段】前述した目的を達成するために、本発明は、超音波振動子の走査ラインをマーキングするために、この超音波振動子を装着した振動子取付部の基端部壁面に設けられ、走査ラインまたはその近傍に向けてマーキング光を出射する反射用鏡面からなるマーキング光出射部と、前記振動子取付部より基端側に設けられ、前記マーキング光出射部から出射されるマーキング光を略円環状にする光円環化部とを有するマーキング投光部を備えたことをその特徴とするものである。」と訂正する。
▲３▼同明細書において、発明の詳細な説明、特許公報第４欄第１５〜１９行の
「ライトガイドの先端部を曲げるようにすることも可能であるが、先端部に反射用の鏡面を形成し、この反射用鏡面にマーキング光を反射させるようにすると、体腔内に挿入される部材の細径化が図られる。」を
「このため、超音波プローブの先端部分の基端部壁面に反射用の鏡面を形成し、この反射用鏡面にマーキング光を反射させることにより、体腔内に挿入される部材の細径化が図られる。」と訂正する。
▲４▼同明細書において、発明の詳細な説明、特許公報第６欄第３８〜４１行の
「そして、この光ファイババンドルの先端部分をほぼ直角に曲げることにより、超音波を照射する位置を正確にマーキングすることができる。」を削除する。
▲５▼同明細書において、発明の詳細な説明、特許公報第７欄第５〜１３行の
「【発明の効果】以上説明したように、本発明は、ラジアル走査を行う超音波振動子の走査ラインをマーキングするために、マーキング光を所定の位置に照射するようになし、このマーキング光は光出射部により走査ライン乃至その近傍に向けて照射するようになし、かつ光円環化部によりマーキング光を略円環状となるようにしているから、内視鏡によっては観察が困難な超音波振動子によるラジアル走査ラインの全体を容易かつ正確に検出することができるようになる。」を
「【発明の効果】以上説明したように、本発明は、ラジアル走査を行う超音波振動子の走査ラインをマーキングするために、マーキング光を所定の位置に照射するようになし、このマーキング光は光出射部に反射させることにより走査ライン乃至その近傍に向けて照射するようになし、かつ光円環化部によりマーキング光を略円環状となるようにしているから、体腔内に挿入される挿入部を太径化することなく、内視鏡によっては観察が困難な超音波振動子によるラジアル走査ラインの全体を容易かつ正確に検出することができるようになる。」と訂正する。
（５４）【発明の名称】
ラジアル走査式超音波検査装置
（５７）【特許請求の範囲】
　【請求項１】　内視鏡の監視下で超音波振動子を観察対象部内に導いて、それを回転させることにより走査させるようにしたものにおいて、前記超音波振動子の走査ラインをマーキングするために、
この超音波振動子を装着した振動子取付部の基端部壁面に設けられ、
する反射用鏡面からなる
前記振動子取付部より基端側に設けられ、前記
【発明の詳細な説明】
　　　【０００１】
　【産業上の利用分野】
　本発明は、内視鏡の監視下において、超音波振動子を観察対象部内に導いて、ラジアル方向に走査するラジアル走査式超音波検査装置に関するものである。
　　　【０００２】
　【従来の技術】
　超音波検査装置としては、近年、患者等の体内に挿入して、体腔内壁から超音波パルスを入射して、その反射エコーを受信することによって、体内組織断層に関する情報を取得するようにしたものが用いられるようになってきている。また、内視鏡による監視下で超音波検査を行うように構成したものもあり、さらに、内視鏡における鉗子その他の処置具を挿通するための、所謂鉗子チャンネルを介して体内に挿入可能な極細の超音波プローブも開発されている。
　ここで、超音波の走査方式としては、一般に機械式走査方式と電子走査方式とがあり、また機械式走査方式の超音波検査装置にあっては、体腔等の壁面に沿ってリニア方向に走査するリニア走査タイプのものや、超音波振動子を回転させて走査するラジアル走査タイプのもの等がある。
　　　【０００３】
　前述したように、内視鏡の監視下で超音波検査を行うように構成すると、内視鏡による体内の内視観察と体腔内組織断層に関する情報の取得という２つの操作を平行して行うことができることから、検査，診断をより効率的かつ精密に行うことができるようになる。とりわけ、内視鏡の鉗子チャンネルを介して挿通される極細の超音波プローブは、内視鏡の検査を行っている間において、必要に応じて、しかも必要なときにのみ、この超音波プローブを挿入して超音波検査を行うことができることから、内視鏡としての本来の機能を何等損なうことがなく、体内の内視鏡観察と超音波検査とを平行して行うことができるので、極めて有利である。
　　　【０００４】
　【発明が解決しようとする課題】
　ところで、内視鏡による観察機構としては、一般に、単眼で、しかも極めて視野角が広くなっていることから、その観察像から距離感を認識するのが困難である。特に、消化管等のように奥行のあるものを観察する場合には、その奥行方向の距離を正確に把握するのは殆ど不可能に近い。従って、内視鏡の鉗子チャンネルから超音波プローブを導出させて、超音波走査を行う場合において、実際に必要な位置で走査を行っているのか否かの確認や、走査した部位がどの位置かの検出を行うのは容易ではない。
　　　【０００５】
　ここで、リニア走査を行う場合には、患部等の走査すべき部位に超音波振動子を押し当てることでその目安とすることができるので、ある程度正確な位置に超音波振動子を配置することが可能ではあるが、ラジアル走査を行う場合には、必ずしも走査すべき部位に直接超音波振動子を押し当てることができないことがあり、また体腔壁に向けての超音波パルスの入射角はどのようになっているかを正確に判定することは極めて困難である。
　　　【０００６】
　本発明は叙上の点に鑑みてなされたものであって、その目的とするところは、超音波振動子によるラジアル走査ラインを容易かつ正確に検出することができるようにしたラジアル走査式超音波検査装置を提供することにある。
　　　【０００７】
　【課題を解決するための手段】
　前述した目的を達成するために、本発明は、超音波振動子の走査ラインをマーキングするために、
この超音波振動子を装着した振動子取付部の基端部壁面に設けられ、
する反射用鏡面からなる
前記振動子取付部より基端側に設けられ、前記
　　　【０００８】
　【作用】
　超音波振動子の走査ラインを検出するために、例えば前述した消化管の壁面等のように超音波走査する位置に光を照射することによって、マーキングするようにしている。ここで、内視鏡による観察を行う際には、観察対象部が暗所であるところから、ライトガイドを介して照明する必要がある。従って、このライトガイドを介して照射される照明光との関係から、それより強い光を超音波走査を行うべき部位に照射すれば、この走査ラインをマーキングすることができる。また、超音波走査を行っている間は、必ずしも精密な内視観察を必要としないので、この時だけライトガイドから照射される照明光を暗くするれば、このマーキングをより鮮明に認識することができる。
　　　【０００９】
　ここで、マーキングのための投光は全体がループ状のマーキング光とする。また、マーキング光出射部としては、ライトガイドや発光ダイオードその他の発光素子等を用いることができ、ライトガイドを用いる場合には、マーキング光を曲折させる必要がある。
このために、超音波プローブの先端部分の基端部壁面
ことにより
　　　【００１０】
　【実施例】
　以下、本発明の実施例を図面に基づいて詳細に説明する。
　まず、図１に内視鏡及び超音波検査装置の全体構成を示す。同図において、１は内視鏡、１０は超音波検査装置を構成する超音波プローブをそれぞれ示し、内視鏡は周知のように、本体操作部２と、体腔等の内部に挿入される挿入部３とを有する構成となっている。また、この本体操作部２には鉗子等の処置具を導入する鉗子導入部４が設けられており、またこの鉗子導入部４から挿入部３の先端部に至るまでの間には鉗子チャンネル（図示せず）が挿通されている。さらに、挿入部３の先端には、周知の如く、照明窓５や観察窓６等と共に鉗子導出口７が設けられている。
　　　【００１１】
　次に、超音波プローブ１０は、制御用ケーブル１１の先端に超音波振動子１２を装着した振動子取付部１３を設けてなるものである。制御用ケーブル１１は、図２から明らかなように、可撓性のあるスリーブ１４内に多重の密着コイルばね１５を挿通させ、さらにこの密着コイルばね１５の内部に信号ケーブル１６が挿通されている。ここで、スリーブ１４は、図３に示したように、内チューブ１４ａと外チューブ１４ｂとの間に導光用の液体１４ｃを封入した、所謂リキッドファイバを構成している。また、密着コイルばね１５は超音波振動子１２を遠隔操作によって回転駆動するためのものであって、このために、密着コイルばね１５の基端部にはパイプ１６が連結されており、このパイプ１６には一対のプーリ１７，１８が固定して設けられている。そして、これら各プーリ１７，１８と、回転駆動用モータ１９の出力軸及びエンコーダ２０の入力軸に連結したプーリ２１，２２との間にそれぞれ伝達ベルト２３，２４が巻回して設けられている。一方、密着コイルばね１５の先端部は振動子取付部１３に連結されている。従って、モータ１９を回転させると、密着コイルばね１５を介して回転力が超音波振動子１２を装着した振動子取付部１３に伝達されて、この超音波振動子１２が回転せしめられて、その間に体内に向けて超音波パルスを入射して、その反射エコーを受信することにより、ラジアル走査が行われる。また、エンコーダ２０はこの超音波振動子１２の回転位置を検出するためのものであって、超音波振動子１２によって取得した反射エコー信号とこのエンコーダ２０による超音波振動子１２の位置信号とを超音波観測装置に伝送して、超音波観測装置において所定の信号処理を行うことにより、モニタ画面に超音波画像が表示されるようになっている。
　　　【００１２】
　ここで、例えば消化管等の体腔管壁を検査する場合においては、内視鏡１によりこの消化管を観察したときに、その奥行方向の距離を検出するのは極めて困難である。特に、この内視鏡１の鉗子チャンネルから超音波プローブ１０を導出させたときに、この超音波プローブ１０の先端部に設けた超音波振動子１２が実際にどの位置にあるか、またそれをラジアル走査させたときに、体腔管壁のどの位置の断層情報が得られるのかを確認することは殆ど不可能である。
　　　【００１３】
　そこで、この超音波振動子１２が走査する位置を容易に確認することができるようにするために、走査位置にマーキング光を照射することができるように構成されている。このために、既に述べたように、超音波プローブ１０を囲繞するスリーブ１４はリキッドファイバを構成しており、このスリーブ１４によるリキッドファイバはマーキング光を円環状にする光円環化部を構成する。このスリーブ１４の基端側１４ｄには、導光用ライトガイド２５が接続され、またこの導光用ライトガイド２５にはランプ２６からの光が入射されるようになっている。さらに、振動子取付部１３の壁面のうちの基端面１３ａは鏡面仕上されると共に、レンズ効果を持たせるように形成されており、これによって、スリーブ１４の端面１４ｅから出射した光は、超音波プローブ１０の軸線方向から、振動子取付部１３の基端面１３ａで直角方向、即ち超音波振動子１２からの超音波信号の出入射方向と同じ方向に反射すると共に、この基端面１３ａのレンズ効果によって平行光となり、この振動子取付部１３の基端面１３ａがマーキング光を出射する光出射部を構成する。
　　　【００１４】
　本実施例は前述のように構成されるものであって、内視鏡１を患者の体内等に挿入して、所定の観察対象部にまで導く。そこで、この観察対象部において超音波検査を行うには、まず超音波プローブ１０をこの内視鏡１の鉗子導入部４から鉗子チャンネルに挿入して、その先端に設けた超音波振動子１２を挿入部３の先端面における鉗子導出口７から所定量突出させる。この状態で、ランプ２６から導光用ライトガイド２５を介して、リキッドファイバを構成するスリーブ１４内に導かれて、その端面１４ｅから振動子取付部１３の基端面１３ａで直角方向に反射して、体腔壁にマーキング光として照射される。ここで、このマーキング光は超音波振動子１２の超音波信号の送受信面に極めて近い位置にあり、しかもその照射方向は超音波パルスの入射方向とほぼ平行なリング状となる。従って、このマーキング光が照射されている部位は、超音波振動子１２をラジアル走査させたときに取得される断層像の部位とほぼ一致することになる。
　　　【００１５】
　そこで、内視鏡１によって観察（光学式内視鏡の場合には接眼部を介しての観察、また電子内視鏡の場合には、モニタ装置による観察）にすれば、その観察像に映し出されているリング状のマーキング光が照射されている部位がラジアル走査されるラインとなる。従って、挿入部３またはそれから導出されている超音波プローブの位置を適宜調整して、実際に超音波検査を行うべき位置にこのマーキング光が当るようにすれば、的確な検査が可能となる。また、このマーキング光が照射されている内視鏡観察像を撮影することによって、超音波画像の取得位置の記録を行うことができるようにもなる。
　　　【００１６】
　ここで、スリーブ１４から照射されるマーキング光を見易くするには、このマーキング光の光量を大きくすればよく、またこれと共に、またはこれに代えて内視鏡１のライトガイドから照射される観察対象部への照明光の光量を落すようにしてもよい。
　　　【００１７】
　なお、前述した実施例においては、マーキング光を照射するために、リキッドファイバを用いるように構成したものを示したが、このリキッドファイバに代えて、光ファイババンドルを長尺円筒状に形成することにより構成することもできる。また、マーキング光は必ずしもリング状の光を照射しなければならないものではなく、例えば振動子取付部に発光ダイオード等の発光素子を設け、この発光素子からの光を超音波振動子からの出射光の方向と一致するようにして装着し、超音波検査を行う際においては、まず超音波振動子を回転させて、マーキング光の通る位置を確認して、実際に超音波検査を行うようにすればよい。さらに、本発明における超音波検査装置としては、必ずしも内視鏡に挿通される極細の超音波プローブである必要はなく、例えば先端側に超音波振動子を、また基端側に内視鏡を備えた先端硬質部を有する超音波内視鏡においても、前述したマーキング光を照射するように構成することもできる。
　　　【００１８】
　【発明の効果】
　以上説明したように、本発明は、ラジアル走査を行う超音波振動子の走査ラインをマーキングするために、マーキング光を所定の位置に照射するようになし、このマーキング光は光出射部
に反射させることにより
体腔内に挿入される挿入部を太径化することなく、
【図面の簡単な説明】
　【図１】
　本発明の一実施例を示す超音波検査装置を内視鏡と共に示す外観図である。
　【図２】
　超音波プローブの断面図である。
　【図３】
　スリーブの断面図である。
【符号の説明】
１　　内視鏡
１０　超音波プローブ
１１　制御ケーブル
１２　超音波振動子
１３　振動子取付部
１３ａ　基端面
１４　スリーブ
１４ａ　内チューブ
１４ｂ　外チューブ
１４ｃ　液体
１４ｄ　端面
１５　密着コイルばね